(57)【要約】【課題】着用時に身体形状が表に現れないように被覆し、容易に着脱できる検診着を提供する。【解決手段】検診着１は、開放端１２１を有する内前身頃１０１と、開放端１２２を有する外前身頃１０２を内外に重ねた構成を有する。内前身頃１０１は、左袖結合部１０６の近くから下方向に延びる第１面止着具１１１と、開放端１２１の上部に位置する第２面止着具１１２と、を表面に備える。外前身頃１０２は、開放端１２２の上部及び中間に位置する第３面止着具１１３及び第５面止着具１１５と、右袖結合部の近くに位置する第４面止着具１１４と、を裏面に備える。着用時には、第２面止着具１１２と第４面止着具１１４とを止着させた後、第１面止着具１１１に対して第３面止着具１１３及び第５面止着具１１５を止着させる。【選択図】図２
0003208579.tif 000002
【実用新案登録請求の範囲】
【請求項１】
開放端を互いに左右反対側に有する内前身頃と外前身頃を内外に重ねて着用する検診着であって、
前記内前身頃は、一方の袖部との結合位置近くから下方向に延びる第１面止着具と、前記開放端上部に位置する第２面止着具と、を表面に備え、
前記外前身頃は、前記開放端上部に位置する第３面止着具と、他方の袖部との結合位置近くに位置する第４面止着具と、を裏面に備え、
着用時に、前記第１面止着具と前記第３面止着具とを止着させ、前記第２面止着具と前記第４面止着具とを止着させる、
検診着。
【請求項２】
前記外前身頃は、前記開放端の前記第３面止着具の下方に第５面止着具を更に備え、
着用時に、前記第５面止着具を前記第１面止着具に止着させる、
請求項１に記載の検診着。
【請求項３】
前記内前身頃及び前記外前身頃と、後ろ身頃と、のそれぞれの結合位置の下端にスリットを備える、
請求項１又は２に記載の検診着。
【請求項４】
前記一方の袖部及び前記他方の袖部はラグラン袖型である、
請求項１から３のいずれか１項に記載の検診着。
【考案の詳細な説明】
【技術分野】
【０００１】
本考案は、検診又は治療時に着用する検診着に関する。
【背景技術】
【０００２】
医療機関において、健康診断、特定の病気の検診、病気の治療等を受ける際に、受診者は素肌に直接検診着を着用する場合がある。このような検診着は容易に着脱できるものが望ましい。例えば、前身頃をひもで固定する和服型や、頭からかぶるＴシャツ型のものが使用されている（例えば、特許文献１、２）。
【０００３】
特許文献１に記載の検査着は、前身頃のウエスト部分から上部の左前身頃と右前身頃を面ファスナーにより前開きとし、左前身頃と右前身頃のそれぞれ下端部を面ファスナーにより下部の面布と着脱自在に結合している。この構成により、検診、治療の際に必要部分だけを露出できると説明されている。
【０００４】
一方、検診又は治療の前または途中には待ち時間があり、他の受診者と同室で過ごすことも多い。そのような時に素肌に検診着一枚を身につけた状態で、身体形状が表に出るのは望ましくないため、前身頃が２枚重ねの形態がよい。
【０００５】
特許文献２に記載の検診上衣は、前身頃を、襟部開口を有する上方前身頃と、一部前後に重ね合わせた下方右前身頃及び下方左前身頃と、で構成し、下方右前身頃と下方左前身頃の打ち合わせ部の上端を上方前身頃に固定し、下端は前後に分離可能となっている。この構成により、前身頃を容易に開放又は被覆することができると説明されている。
【先行技術文献】
【特許文献】
【０００６】
【特許文献１】特開平１１−２７９８１５号公報
【特許文献２】特開２００８−２５０３８号公報
【考案の概要】
【考案が解決しようとする課題】
【０００７】
検診や治療の内容によっては、検診着を一旦脱いで上半身裸で受診することもあるが、それを考慮すると、検診着は高齢者又は肩、肘関節等に障がいを有する者でも着脱が容易な形態が望ましい。和服型のものは、前身頃の端部に設けた紐を結ぶ等の動作が必要であり、高齢者らの受診者にとってその動作は時間を要するものであった。
【０００８】
また、特許文献１及び特許文献２に記載の検診着はいずれも頭からかぶるＴシャツ型であり、着脱の際に腕を上に伸ばす等の動作が必要であり、肩、肘関節等に障がいを有する者にとっては着脱が困難であった。
【０００９】
本考案は、上記実情に鑑みてなされたものであり、着用時に身体形状が表に現れないように被覆し、容易に着脱できる検診着を提供することを目的とする。
【課題を解決するための手段】
【００１０】
上記目的を達成するため、本考案に係る検診着は、開放端を互いに左右反対側に有する内前身頃と外前身頃を内外に重ねて着用する検診着であって、
前記内前身頃は、一方の袖部との結合位置近くから下方向に延びる第１面止着具と、前記開放端上部に位置する第２面止着具と、を表面に備え、
前記外前身頃は、前記開放端上部に位置する第３面止着具と、他方の袖部との結合位置近くに位置する第４面止着具と、を裏面に備え、
着用時に、前記第１面止着具と前記第３面止着具とを止着させ、前記第２面止着具と前記第４面止着具とを止着させることを特徴とする。
【００１１】
前記外前身頃は、前記開放端の前記第３面止着具の下方に第５面止着具を更に備え、
着用時に、前記第５面止着具を前記第１面止着具に止着させてもよい。
【００１２】
前記内前身頃及び前記外前身頃と、後ろ身頃と、のそれぞれの結合位置の下端にスリットを備えてもよい。
【００１３】
前記一方の袖部及び前記他方の袖部はラグラン袖型であってもよい。
【考案の効果】
【００１４】
本考案によれば、着用時に身体形状が表に現れないように被覆することができ、容易に着脱することが可能となる。
【図面の簡単な説明】
【００１５】
【図１】本考案の実施形態である検診着の正面図である。
【図２】検診着の外前身頃をめくった状態を示す図である。
【図３】検診着を着用する手順を説明するための図である。
【図４】検診着を着用する手順を説明するための図である。
【考案を実施するための形態】
【００１６】
（実施形態）
本考案の実施形態について図面を参照して詳細に説明する。図１は本実施形態に係る検診着１を正面から見た図であり、図２は検診着１の外前身頃１０２をめくった状態を示す図である。検診着１は、健康診断、特定の病気の検診、病気の治療等を受ける際に、受診者が素肌に直接着用する被服である。
【００１７】
本考案の実施形態に係る検診着１は、図１に示すように、内前身頃１０１と、外前身頃１０２と、左袖部１０３と、右袖部１０４と、後ろ身頃１０５と、を備える。内前身頃１０１及び後ろ身頃１０５が左袖結合部１０６で左袖部１０３と結合し、外前身頃１０２及び後ろ身頃１０５が右袖結合部１０７で右袖部１０４と結合している。
【００１８】
検診着１は全ての構成部を同一種類の生地を裁断し、縫製して製造される。生地は、例えば、綿、又はポリエステル、又は綿とポリエステルの混紡等の任意の生地を用いる。綿とポリエステルの混紡を使用した場合、肌触りがよく、また、洗濯後に乾きやすく皺になりにくいためアイロン等が不要となる。また、張り感のある仕上がりとなるため、身体形状が表に現れにくい。
【００１９】
内前身頃１０１と外前身頃１０２は、図１及び図２に示すように、着用時には前身頃のほぼ全幅に渡って内外に重なっており、また、着脱の際に内前身頃１０１と外前身頃１０２とを左右に開く羽織形状を有している。つまり、内前身頃１０１と外前身頃１０２は、開放端１２１、１２２を互いに左右反対側に有している。
【００２０】
内前身頃１０１、外前身頃１０２及び後ろ身頃１０５の襟刳りは検診着１の着用時に丸首形状を形成する。また、内前身頃１０１、外前身頃１０２及び後ろ身頃１０５は着用者の腰程度までの丈を有する。よって、検診着１は、内前身頃１０１と外前身頃１０２を重ねた状態においてＴシャツのような全体形状であり、性別、年齢を問わず着用される標準的な上衣の外観を有している。この外観は、検診等の受診者にとって、待合室等の他の受診者が多数いる室内で待つ間の精神的負担を軽減するものである。
【００２１】
左袖結合部１０６は、内前身頃１０１と後ろ身頃１０５それぞれの襟刳りから脇部までのラインで左袖部１０３と結合し、右袖結合部１０７は、外前身頃１０２と後ろ身頃１０５それぞれの襟刳りから脇部までのラインで右袖部１０４と結合する。これにより、検診着１は、腕の動作をスムーズにすることができるラグラン袖型の形状を有する。
【００２２】
左袖部１０３及び右袖部１０４において、袖丈は肘程度の長さとし、袖口は着用者の腕周りに対してゆとりのある大きさとする。このような袖は、血圧測定時、又は心電図検査の腕への電極の装着時、又は採血時等に、作業者の動作の妨げにならない。
【００２３】
また、検診着１は左右の脇の裾にスリット１３１を備える。具体的には、内前身頃１０１及び外前身頃１０２と、後ろ身頃１０５と、の結合位置である脇部において、下端から一定の長さを結合しない。
【００２４】
検診着１は、図２に示すように、内前身頃１０１の表面に第１面止着具１１１及び第２面止着具１１２を備え、外前身頃１０２の裏面に第３面止着具１１３、第４面止着具１１４及び第５面止着具１１５を備えている。
【００２５】
第１面止着具１１１は、第３面止着具１１３及び第５面止着具１１５と互いに接着及び剥離を繰り返すことが可能であり、また、第２面止着具１１２は、第４面止着具１１４と互いに接着及び剥離を繰り返すことが可能である。第１〜第５面止着具１１１〜１１５は、金属以外の任意の面止着具から構成され、例えば、マジックテープ（登録商標）等の面ファスナーから構成される。
【００２６】
第１面止着具１１１は、内前身頃１０１の左袖結合部１０６近くから下方向に延びる矩形状を有している。大きさは例えば幅約５ｃｍ、長さ約４０ｃｍである。第２面止着具１１２は、内前身頃１０１の開放端１２１上部の襟刳り近くに位置する。
【００２７】
第３面止着具１１３は、外前身頃１０２の開放端１２２上部の襟刳り近くに位置する。第４面止着具１１４は、外前身頃１０２の右袖結合部１０７近くに位置する。第５面止着部１１５は、外前身頃１０２の開放端１２２の中間位置に位置する。つまり、第５面止着部１１５は、開放端１２２に沿って第３面止着具１１３の下方に位置する。第２〜第５面止着具１１２〜１１５は、全辺が約５ｃｍの矩形状又は角丸矩形状である。
【００２８】
以上のように構成された検診着１の着用方法について説明する。図３、４は、検診着１を着用する手順を説明するための図である。
【００２９】
着用者は、まず検診着１の左袖部１０３及び右袖部１０４に腕を通した後、図３に示すように、内前身頃１０１の第２面止着具１１２と外前身頃１０２の第４面止着具１１４を止着させる。
【００３０】
その後、図４に示すように、内前身頃１０１の第１面止着具１１１の上方に外前身頃１０２の第３面止着具１１３を止着させ、内前身頃１０１の第１面止着具１１１の中間位置に外前身頃１０２の第５面止着具１１５を止着させる。このとき、既に第２面止着具１１２と第４面止着具１１４が互いに固定されているため、内前身頃１０１は身体に対して位置が安定している。このため、着用者は外前身頃１０２の開放端１２２の上部のみを右手で把持して第３面止着具１１３の位置を変えることができる。
【００３１】
ここで、第１面止着具１１１が上下方向に延びる矩形状を有しているため、止着位置の自由度が高い。つまり、着用者は第３面止着具１１３及び第５面止着具１１５を止着する際に、互いを接着させるために狙いを定める必要もなく、高齢者や肩、肘、手首等の関節に障がいを有する者でも容易に止着することができる。また、第１〜第５面止着具１１１〜１１５の幅を大きめにすることで、着用者の体型により止着位置を調整することが可能となる。
【００３２】
以上説明したように、本実施形態においては、開放端１２１を有する内前身頃１０１と、開放端１２２を有する外前身頃１０２を内外に重ね、内前身頃１０１は、左袖結合部１０６の近くから下方向に延びる第１面止着具１１１と、開放端１２１の上部に位置する第２面止着具１１２と、を表面に備え、外前身頃１０２は、開放端１２２の上部及び中間に位置する第３面止着具１１３及び第５面止着具１１５と、右袖結合部１０７の近くに位置する第４面止着具１１４と、を裏面に備える。そして、着用時には、第２面止着具１１２と第４面止着具１１４とを止着させた後、第１面止着具１１１に対して第３面止着具１１３及び第５面止着具１１５を止着させることとした。これにより、検診着１は身体形状が表に現れないように被覆し、着用者は検診着１を容易に着脱することが可能となる。
【００３３】
具体的には、検診着１は、着用時に前身頃をほぼ全幅に渡って二重とすることで、身体形状が表に現れにくくなるとともに、隙間から身体が見える状態を回避することができる。また、検診着１は羽織形状を有するために着脱の際に腕を高く上げる必要がなく、更に、ボタン等でなく面止着具で内前身頃１０１と外前身頃１０２を止着させるようにしたため、高齢者や肩、肘、手首等の関節に障がいを有する者でも容易に着脱することができる。
【００３４】
また、検診着１は、内前身頃１０１、外前身頃１０２、左袖部１０３、右袖部１０４及び後ろ身頃１０５、並びに、第１〜第５面止着具１１１〜１１５を、金属を含まない材料で構成することにより、検診着１を着用したままレントゲン撮影等の検査が可能となる。
【００３５】
また、検診着１は、着用した状態から、第５面止着具１１５を第１面止着具１１１から剥離することで、内前身頃１０１及び外前身頃１０２を高い位置までめくり上げることができる。更に脇部にスリット１３１を備えることで、内前身頃１０１及び外前身頃１０２のめくり上げが容易になる。これにより、診察時や治療時に、必要に応じて検診着１を脱がずに身体の高い位置まで露出させることが可能となる。
【００３６】
このように、本発明は、開放端を互いに左右反対側に有する内前身頃と外前身頃を内外に重ねて着用する検診着において、内前身頃は、一方の袖部との結合位置近くから下方向に延びる第１面止着具と、開放端上部に位置する第２面止着具と、を表面に備え、外前身頃は、開放端上部に位置する第３面止着具と、他方の袖部との結合位置近くに位置する第４面止着具と、を裏面に備え、着用時に、第１面止着具と第３面止着具とを止着させ、第２面止着具と第４面止着具とを止着させることとした。これにより、着用時に身体形状が表に現れないように被覆し、容易に着脱することが可能となる。
【００３７】
なお、本考案は上記実施形態に限定されず、本発明の要旨を逸脱しない範囲での種々の変更は勿論可能である。
【００３８】
例えば、上記実施形態において、検診着１は腰までの上衣としたが、膝又はその下までの全身衣としてもよい。その場合には、内前身頃１０１の第１面止着具１１１の上下方向の長さを長くし、外前身頃１０２の第５面止着具１１５の下方に更に面止着具を備えるようにしてもよい。
【００３９】
また、上記実施形態では、内前身頃１０１が左袖部１０３と結合し、外前身頃１０２が右袖部１０４と結合するとしたが、左右逆の構成でもよい。つまり、内前身頃１０１が右袖部１０３と結合し左側に開放端１２１を備え、外前身頃１０２が左袖部１０３と結合し右側に開放端１２２を備えてもよい。
【００４０】
また、上記実施形態においては、内前身頃１０１、外前身頃１０２及び後ろ身頃１０５の襟刳りは丸首形状を形成するとしたが、襟刳りの形状は、スクエアネック、Ｖネック等他の形状でもよい。
【符号の説明】
【００４１】
１…検診着
１０１…内前身頃
１０２…外前身頃
１０３…左袖部
１０４…右袖部
１０５…後ろ身頃
１０６…左袖結合部
１０７…右袖結合部
１１１…第１面止着具
１１２…第２面止着具
１１３…第３面止着具
１１４…第４面止着具
１１５…第５面止着具
１２１，１２２…開放端
１３１…スリット
【図１】
0003208579.tif 000003
【図２】
0003208579.tif 000004
【図３】
0003208579.tif 000005
【図４】
0003208579.tif 000006